(57)【要約】      （修正有）【課題】掛け外しし易く不意に外れ難いボタンとボタンホールの構造を提供すること。【解決手段】ボタンとボタンホールの構造１０は、一対のボタン２２，４２のそれぞれと一方の生地１２との連結部が、他方の生地１４に設けられている一対のボタンホール３２，５２の遠位端同士又は近位端同士に位置するように構成されているため、ボタン２２，４２を掛けたときの、ボタンホール３２，５２に対するボタン２２，４２の移動を従来に比べて抑制することができ、ボタン２２，４２の掛止状態を安定させることができるので、ボタンが不意に外れ難く、ボタンホール３２，５２を大きくすれば、ボタン２２，４２の掛け外しもし易い。【選択図】図１
2017036514.tif 000002
【特許請求の範囲】
【請求項１】
一方の生地に取付けられているボタンと、他方の生地に設けられ、前記ボタンを通すボタンホールからなるボタンとボタンホールの構造において、
少なくとも一対の前記ボタン及びボタンホールを具え、
一対の前記ボタンホールが、それぞれ、互いに対する遠位端と近位端を有し、
一対の前記ボタンと前記一方の生地の連結部が、それぞれ、前記遠位端同士又は近位端同士に位置するように構成されている、
ボタンとボタンホールの構造。
【請求項２】
一方の前記ボタン及びボタンホールが、他方の前記ボタンがボタンホールに掛けられるときの前記両生地の移動方向に対する直交方向に設けられ、
前記ボタンホールが前記直交方向に沿う直線状の切れ目を有する、請求項１のボタンとボタンホールの構造。
【請求項３】
前記ボタンホールのいずれかの前記遠位端又は近位端が、前記移動方向に曲がっている、請求項２のボタンとボタンホールの構造。
【請求項４】
前記ボタンホールが二以上の直線状の切れ目、曲線状の切れ目、又は図形形状からなる、請求項１のボタンとボタンホールの構造。
【発明の詳細な説明】
【技術分野】
【０００１】
本発明は、衣服等に使用されるボタン、詳細には、一方の生地に取付けられているボタンを他方の生地のボタンホールに通して両方の生地を留めるタイプ（以下、単に、「ボタンホールタイプ」ということもある。）のボタンとボタンホールの構造に関する。
【背景技術】
【０００２】
上衣の前開き部やブーツの側面のように、互いに離れている一対の生地をボタンで留めることは昔から行われてきた。それらのボタンの内、最も広く使用されているものの一つが、一方の生地に取付けられているボタンを他方の生地のボタンホールに通して両方の生地を留めるというボタンホールタイプである。このタイプのボタンは、ボタンを掛けるとき又は外すときに、ボタンをボタンホールに通さなければならない。この作業は、幼児にとって容易ではなく、また、ボタンが小さいと、高齢者にとっても容易ではない。また、同作業は、手袋をつけたときや手が悴んだとき等、手先が思うように動かない場合に困難である。
【０００３】
ここで、ボタンの掛け外しを簡単にするために、ボタンホールの大きさを単純に大きくすることが考えられる。しかし、この場合、ボタンが不意に外れ易くなるため、一対の生地を留めるというボタンとしての機能を発揮し難くなるという問題がある。このような事情の下、ボタンホールタイプ以外の構造が開発されており、幼児や高齢者であっても、一対の生地を簡単に留められるようにした衣服として、例えば、以下に示すものが考案されている。
【先行技術文献】
【特許文献】
【０００４】
【特許文献１】実開平１−１５７１０１号公報
【特許文献２】実登３１７５４０５号公報
【０００５】
特許文献１には、一対の生地が重ね合わさる部分の対向面に面ファスナを取付け、面ファスナで両方の生地を留めるようにしたワイシャツが開示されている。
【０００６】
特許文献２には、一対の生地が重ね合わさる部分の対応する複数の位置にスナップボタンを取付けた上衣が開示されている。
【０００７】
特許文献１によれば、面ファスナ同士を押し付けることにより、一方、特許文献２によれば、スナップボタンの雄側を雌側に嵌込むことにより、一対の生地を留めることができるので、従来のボタンホールタイプに対し、一対の生地を比較的簡単に留めることができる。また、特許文献１，２のいずれの構造においても、一対の生地を離す方向に引っ張れば、面ファスナ又はスナップボタンを簡単に外すことができるので、一対の生地の掛止状態を比較的簡単に外すこともできる。
【発明の概要】
【発明が解決しようとする課題】
【０００８】
しかしながら、ボタンホールタイプは依然として主流であり、大半の衣服等に使用されている。これは、シャツやワイシャツの分野では特に顕著である。このように、ボタンホールタイプが面ファスナやスナップボタンに未だ完全に置換えられていない理由としては、以下の事情が考えられる。
【０００９】
まず、コストの問題である。面ファスナやスナップボタンは、主にボタンのコストしか掛からないボタンホールタイプに比べて材料コストが掛かるため、メーカ側にとって負担が大きい。
【００１０】
また、ユーザ側に受け容れられ難いという問題もある。特に高齢者においては、これまでボタンをボタンホールに通して留めていたものを、面ファスナやスナップボタンに変更することに対して抵抗がある。
【００１１】
一方、ボタンホールタイプには、以下の利点がある。すなわち、ボタンの掛け外しに指先を使うことにより、脳が活性化するということである。特に、ボタンの掛け外しは、幼児の脳の発達を促すともいわれている。
【００１２】
そこで、本発明は、前記事項に鑑み、掛け外しし易く不意に外れ難いボタンとボタンホールの構造を提供することをその目的とする。
【課題を解決するための手段】
【００１３】
本発明は、一方の生地に取付けられているボタンと、他方の生地に設けられ、前記ボタンを通すボタンホールからなるボタンとボタンホールの構造において、
少なくとも一対の前記ボタン及びボタンホールを具え、
一対の前記ボタンホールが、それぞれ、互いに対する遠位端と近位端を有し、
一対の前記ボタンと前記一方の生地の連結部が、それぞれ、前記遠位端同士又は近位端同士に位置するように構成されているボタンとボタンホールの構造によって前記課題を解決した。
【発明の効果】
【００１４】
本発明によれば、一対のボタンのそれぞれと一方の生地との連結部が、他方の生地に設けられている一対のボタンホールの遠位端同士又は近位端同士に位置するように構成されているため、ボタンを掛けたときの、ボタンホールに対するボタンの移動を従来に比べて抑制することができる。すなわち、ボタンの掛止状態を安定させることができるので、ボタンが不意にボタンホールを通って外れてしまうということを防止することができる。一方で、ボタンホールを大きくすれば、ボタンを掛け外しし易くすることができる。
【００１５】
また、一方のボタン及びボタンホールが、他方のボタンがボタンホールに掛けられるときの両生地の移動方向に対する直交方向に設けられており、ボタンホールが、当該直交方向に沿う直線状の切れ目を有する場合、ボタンホールに対するボタンの移動を抑制し易く、且つ、他方の生地に対してボタンが引っ掛かる範囲を比較的大きく確保できる。よって、ボタンホールを大きくして、ボタンが掛け外しし易く不意に外れ難いという構成を実現し易い。
【００１６】
さらに、ボタンホールのいずれかの遠位端又は近位端が、ボタンがボタンホールに掛けられるときの両生地の移動方向に曲がっている構成とすれば、単に直線状の切れ目からなるボタンホールに比べて、ボタンをボタンホールに通し易いので、ボタンの掛け外しが容易な構造にすることができる。
【００１７】
ボタンホールが二以上の直線状の切れ目、曲線状の切れ目、又は図形形状からなる構成としても、上記同様、単に直線状の切れ目からなるボタンホールに比べて、ボタンの掛け外しが容易な構造にすることができる。
【図面の簡単な説明】
【００１８】
【図１】本発明の第一実施形態のボタンとボタンホールの構造を適用した上衣の正面図。
【図２】本発明の第一実施形態において、ボタンを掛けている状態の要部拡大図。
【図３】本発明の第一実施形態のボタンとボタンホールの構造の配置例を表した正面図。
【図４】本発明の第二実施形態において、ボタンを掛けている状態の要部拡大図。
【図５】本発明の第三実施形態において、ボタンを掛けている状態の要部拡大図。
【図６】本発明の第四〜二十一実施形態のボタンホールのバリエーションを表した正面図。
【図７】本発明の第二十二実施形態のボタンとボタンホールの構造を適用した上衣の正面図。
【発明を実施するための形態】
【００１９】
本発明の実施例を図１〜７を参照して説明する。但し、本発明はこの実施形態に限定されるものではない。
【００２０】
図１は、本発明の第一実施形態のボタンとボタンホールの構造（以下、単に、「ボタン構造」という。）１０を具えた上衣（ワイシャツ）１００を示す。ワイシャツ１００は、一方の生地１２にボタン２２，４２，６０が取付けられており、ボタン２２，４２，６０が他方の生地１４に設けられたボタンホール３２，４２（第一ボタン６０のボタンホールは図示省略。）に通されることにより、ボタン２２，４２，６０が他方の生地１４に引っ掛かり、両方の生地１２，１４が留められる。ワイシャツ１００は、首元の第一ボタン６０を具え、第二ボタン２２以下に、３組のボタン構造１０を具える。なお、ワイシャツ１００において、一方の生地１２と他方の生地１４は連続した生地であるが、本発明は、別個の一対の生地に設けられたボタンとボタンホールに対しても適用できる。また、ボタン構造１０は、一組でも機能するが、本実施形態のように、複数組設けてもよい。
【００２１】
ボタン構造１０の要部拡大図が図２である。図２に示すように、ボタン構造１０は、一対のボタン２２，４２及びボタンホール３２，５２から構成される。ボタン構造１０のボタン２２，４２は円形で、ボタンホール３２，５２は、ボタン２２がボタンホール３２に掛けられるときの両生地１２，１４の移動方向（Ｘ方向）に対する直交方向（Ｙ方向）に沿う直線状の切れ目である。ここで、Ｘ方向は、通常、身幅、裾幅、袖幅と同方向であり、Ｙ方向は、着丈、総丈と同方向である。なお、図２において、ボタンホールの幅は、便宜上、誇張して示されており、これは、図３〜７においても同様である。
【００２２】
ボタン構造１０では、ボタンホール３２，５２がＹ方向に沿う直線状の切れ目であるため、ボタンホール３２，５２は、Ｙ方向に、互いに対する遠位端３４，５４と近位端３６，５６を有する。そして、ボタン２２，４２と一方の生地１２との連結部２４，４４が、それぞれ、ボタン２２，４２を掛けたときに遠位端３４，５４に位置するように構成されている。なお、ボタン構造１０では、ワイシャツ１００の非着用時に連結部２４，４４が遠位端３４，５４に位置するように構成されているが、ワイシャツ１００の着用時に連結部２４，４４が遠位端３４，５４に位置するように構成してもよい。ここで、連結部２４，４４は、一般的には、ボタン２２，４２と生地１２を連結する糸であるが、くるみボタンの金具部分のように、ボタン２２，４２と連続する部品で構成されていてもよい。
【００２３】
本構成により、ボタン２２及び４２が図２の上方向に移動しようとした場合、ボタン２２はボタンホール３２の遠位端３４より上に移動できないため、ボタン２２と同一の生地１２に設けられているボタン４２も上に移動し難い。一方、ボタン２２及び４２が図２の下方向に移動しようとした場合、ボタン４２はボタンホール５２の遠位端５４より下に移動できないため、ボタン４２と同一の生地１２に設けられているボタン２２も下に移動し難い。よって、ボタンホール３２，５２に対するボタン２２，４２の移動を抑制することができるから、ボタン２２，４２の掛止状態を安定させることができる。これにより、従来よりも不意に外れ難いボタン構造とすることができる。
【００２４】
本発明に適用されるボタンホールは、ボタンの厚み、他のボタンホールとの関係等を考慮して、ボタンを通すことができる程度にすればよい。ボタンホールの長手方向（Ｙ方向）寸法をボタンの同方向の寸法と同程度にすれば、上述したように、従来よりも不意に外れ難いボタン構造とすることができる。一方、ボタン構造１０のボタンホール３２，５２のように、ボタン２２，４２の直径よりも大きい（約１．２倍の）長手方向（Ｙ方向）寸法を有する構成とすることもできる。これにより、ボタン２２，４２をボタンホール３２，５２に通し易くなるため、従来よりも掛け外しし易いボタン構造とすることができる。すなわち、ボタン構造１０によれば、掛け外しし易く、不意に外れ難いうという機能の両立を実現することができる。ボタンホールの大きさを大きくすればするほど、ボタンを掛け外しし易くなるが、その程度は用途に応じて決めればよい。
【００２５】
ボタン構造１０は、図３に示すように、複数組のものを種々の配置で適用することができる。なお、図３〜７において、Ｘ方向及びＹ方向は、図２と同方向である。例えば、図３（ａ）に示され、且つ、ワイシャツ１００（図１参照。）と同様に、ボタン構造１０を構成しないボタン６２を１つ具え、ボタン６２に続くようにボタン構造１０を複数組設けることができる。ボタン構造１０のボタン２２，４２及びボタンホール３２，５２が隣り合っていると、ボタン２２，４２をボタンホール３２，５２に掛けたときの生地の歪みを抑えることができる。一方、図３（ｂ）に示すように、ボタン構造１０を構成しないボタン６４を中心にしてボタン構造１０を複数組設けることもできる。要するに、ボタン構造１０のボタン２２，４２及びボタンホール３２，５２は、隣り合っている必要はないということである。
【００２６】
図４は、本発明の第二実施形態のボタン構造１０ａを示す。基本的な構造はボタン構造１０と同様であるため、異なる点について以下に説明する。
【００２７】
ボタン構造１０ａでは、ボタン構造１０と同様に、ボタンホール３２ａ，５２ａは、Ｙ方向に沿う直線状の切れ目を有する。しかし、ボタンホール３２ａ，５２ａでは、ボタン２２，４２と一方の生地１２との連結部２４，４４が位置する遠位端３４，５４が、生地１２と１４が重なる方向（Ｘ方向）の内、ボタンホール３２ａ，５２ａが設けらている生地１４が、ボタン２２，４２が設けられている生地１２に対して近づく方向（図４の左方向）に曲がっており、鉤部３８，５８を形成している。
【００２８】
ボタン構造１０ａのボタン２２，４２を掛けたとき、連結部２４，４４は、図示しているように、鉤部３８，５８に引っ掛かることができる。これにより、ボタン２２，４２は、直交方向（Ｙ方向）へ移動し難くなるため、ボタン構造１０に比べ、ボタン２２，４２が不意に外れることをより確実に防ぐことができる。一方で、ボタン構造１０のような直線状のボタンホール３２，５２に比べ、ボタン２２，４２を通すボタンホール３２ａ，５２ａの範囲が大きくなるため、ボタンを掛け外しし易くすることもできる。
【００２９】
図５に示すように、ボタン２２，４２と一方の生地１２との連結部２４，４４が、それぞれ、ボタン２２，４２を掛けたときに、ボタンホール３２ｂ，５２ｂの互いに対する近位端３６ｂ，５６ｂに位置するようにしたボタン構造１０ｂとしてもよい。ボタン構造１０ｂによっても、ボタン構造１０と同様の効果を奏することができる。なお、図示しての説明は省略するが、ボタン構造１０ｂの近位端３６ｂ，５６ｂに、ボタン構造１０ａの鉤部３８，５８と同様の鉤部を設けることもできる。
【００３０】
図６は、本発明に適用することができるボタンホールのバリエーションを示す。図６（ａ）〜（ｇ）のボタンホールは、二以上の直線状の切れ目からなる。図６（ａ）のボタン構造１０ｃでは、ボタン２２，４２の連結部２４，４４が位置していない近位端３６ｃ，５６ｃが、生地１２，１４が重なる方向（Ｘ方向）の内、図中の右方向に曲がっている。すなわち、ボタンホール３２ｃ，５２ｃは、Ｙ方向に沿う直線状の切れ目とＸ方向に沿う直線状の切れ目からなる。これにより、ボタン２２，４２を通すボタンホール３２ｃ，５２ｃの範囲を大きくすることができるため、ボタンの掛け外しがし易い構成とすることができる。当該効果を奏するためには、ボタンの連結部が位置しているか否かに関わらず、近位端又は遠位端を生地が重なる方向（Ｘ方向）のいずれかに曲げればよく、ボタン構造１０ｃのように直角に曲げる以外に、図６（ｂ）のボタン構造１０ｄの近位端３６ｄ，５６ｄのように、カーブ状に曲げてもよい。
【００３１】
また、ボタンを通すボタンホールの範囲を大きくするために、図６（ｃ）のボタンホール３２ｅ，５２ｅ、又は図６（ｄ）のボタンホール３２ｆ，５２ｆのように、Ｔ字状にすることもできる。その他に、ボタンホールを、図６（ｅ），（ｆ）のように十字状にすることもでき、図６（ｇ）のようにＹ字状にすることもできる。
【００３２】
一方、本発明に適用することができるボタンホールは、必ずしもＹ方向に延びる直線状の切れ目を有するものでなくてもよい。例えば、図６（ｈ），（ｉ）に示す、ボタンホール３２ｊ，５２ｊのようなＶ字状の切れ目、又はボタンホール３２ｋ，５２ｋのような曲線状（ボタン構造１０ｋの場合、Ｕ字状）の切れ目でもよく、図６（ｊ）に示すように、Ｙ方向に対して傾きを有する直線状の切れ目のボタンホール３２ｌ、５２ｌであってもよい。
【００３３】
ここで、図６（ｈ），（ｉ）に示すようなボタンホール３２ｊ，３２ｋの場合、ボタンの掛け外し時には、切片３１，３１ａが折れて図６（ｋ）のボタンホール５２ｍに似た形状になるため、ボタン２２をボタンホール３２ｊ，３２ｋに通し易くすることができる。
【００３４】
また、図６（ｋ）乃至（ｒ）に示すように、ボタンホールの形状を任意の図形の形状にすることによって、ボタンを通すボタンホールの範囲を大きくすることもできる。このとき、ボタンホールの大きさは、ボタンの厚み、他のボタンホールとの関係等を考慮して決定される。また、図６（ｑ）、（ｒ）のように、一対のボタンホール３２ｒ，５２ｒ、３２ｔ，５２ｔは、対称の形状でなくてもよい。これは、直線形状又は曲線形状のボタンホールも同様である。
【００３５】
上記では、ボタン及びボタンホールがＹ方向に設けられている態様のものを説明したが、本発明は、図７の、ダブルブレストのボタン列を具えているコート１００ａのように、一対のボタン２２，４２及びボタンホール３２ｕ，５２ｕがＸ方向に設けられているものにも適用することができる。基本的には、ボタン構造１０と同様であるため、具体的な説明は省略するが、ボタンホール３２ｕ，５２ｕは、Ｘ方向に沿う直線状の切れ目であり、同方向に、互い対する遠位端と近位端（図示省略。）を有する。そして、ボタン構造１０ｕの場合、ボタン２２，４２と一方の生地１２ａとの連結部（図示省略。）が、それぞれ、互いのボタンホール３２ｕ，５２ｕに対する遠位端に位置するように構成されている。ボタンホール３２ｕ，５２ｕの形状を、上記に説明した他の形状とすることもできるのは言うまでもない。
【００３６】
本発明は、一対のボタンホール同士の関係で、互いに対する近位端及び遠位端を有するものであれば適用することができ、一対のボタンの配列方向は、Ｘ方向とＹ方向に限られるものではない。近位端及び遠位端は、ボタンホール自体の端部である以外に、ボタンホールの一部分が糸で縫われるなどして形成されていてもよい。また、本発明は、ボタン自体の形状は問わずに適用可能であり、ボタンホールの大きさは、ボタンの形状・大きさ等を考慮して適宜決定すればよい。
【００３７】
本発明のボタンとボタンホールの構造は、シャツやワイシャツのように、前面の中央に配設されたボタン列以外にも適用可能である。また、上衣以外にも、ブーツ、帽子、鞄など、一対のボタン及びボタンホールが設けられ得るものであれば、適用可能である。
【００３８】
以上説明したように、本発明によれば、掛け外しし易く不意に外れ難いボタンとボタンホールの構造を提供することができる。
【符号の説明】
【００３９】
１０    ボタンとボタンホールの構造
１２    生地（ボタン側）
１４    生地（ボタンホール側）
２２，４２  ボタン
２４，４４  連結部
３２，５２  ボタンホール
３４，５４  遠位端
３６，５６  近位端
【図１】
2017036514.tif 000003
【図２】
2017036514.tif 000004
【図３】
2017036514.tif 000005
【図４】
2017036514.tif 000006
【図５】
2017036514.tif 000007
【図６】
2017036514.tif 000008
【図７】
2017036514.tif 000009
【手続補正書】
【提出日】平成28年5月10日(2016.5.10)
【手続補正１】
【補正対象書類名】特許請求の範囲
【補正対象項目名】全文
【補正方法】変更
【補正の内容】
【特許請求の範囲】
【請求項１】
一方の生地に連結部を介して取付けられているボタンと、他方の生地に設けられ、前記ボタンを通すボタンホールからなるボタンとボタンホールの構造において、
前記一方の生地と他方の生地が連続しており、
少なくとも一対の前記ボタン及びボタンホールを具え、
一対の前記ボタンホールが、それぞれ、互いに対する遠位端と近位端を有し、
一対の前記ボタンの連結部が、それぞれ、前記遠位端同士又は近位端同士に位置するように構成されている、
ボタンとボタンホールの構造。
【請求項２】
一方の前記ボタン及びボタンホールが、他方の前記ボタンがボタンホールに掛けられるときの前記両生地の移動方向に対する直交方向に位置するように設けられ、
前記ボタンホールが前記直交方向に沿う直線状の切れ目を有する、請求項１のボタンとボタンホールの構造。
【請求項３】
前記ボタンホールのいずれかの前記遠位端又は近位端が、前記移動方向に曲がっている、請求項２のボタンとボタンホールの構造。
【請求項４】
前記ボタンホールが二以上の直線状の切れ目、曲線状の切れ目、又は図形形状からなる、請求項１のボタンとボタンホールの構造。
【手続補正２】
【補正対象書類名】明細書
【補正対象項目名】００１３
【補正方法】変更
【補正の内容】
【００１３】
本発明は、一方の生地に連結部を介して取付けられているボタンと、他方の生地に設けられ、前記ボタンを通すボタンホールからなるボタンとボタンホールの構造において、
前記一方の生地と他方の生地が連続しており、
少なくとも一対の前記ボタン及びボタンホールを具え、
一対の前記ボタンホールが、それぞれ、互いに対する遠位端と近位端を有し、
一対の前記ボタンの連結部が、それぞれ、前記遠位端同士又は近位端同士に位置するように構成されているボタンとボタンホールの構造によって前記課題を解決した。
【手続補正書】
【提出日】平成28年8月25日(2016.8.25)
【手続補正１】
【補正対象書類名】特許請求の範囲
【補正対象項目名】全文
【補正方法】変更
【補正の内容】
【特許請求の範囲】
【請求項１】
一方の生地に連結部を介して取付けられているボタンと、他方の生地に設けられ、前記ボタンを通すボタンホールからなるボタンとボタンホールの構造において、
前記一方の生地と他方の生地が連続しており、
少なくとも一対の前記ボタン及びボタンホールを具え、
一対の前記ボタンホールが、それぞれ、互いに対する遠位端と近位端を有し、
一対の前記ボタンの連結部が、それぞれ、前記遠位端同士に位置するように構成されている、
ボタンとボタンホールの構造。
【請求項２】
一対の前記ボタンホールの遠位端同士に一対の前記ボタンの連結部が位置している一対のボタン及びボタンホールが隣り合っている、請求項１のボタンとボタンホールの構造。
【請求項３】
一方の生地に連結部を介して取付けられているボタンと、他方の生地に設けられ、前記ボタンを通すボタンホールからなるボタンとボタンホールの構造において、
前記一方の生地と他方の生地が連続しており、
少なくとも一対の前記ボタン及びボタンホールを具え、
一対の前記ボタンホールが、それぞれ、互いに対する遠位端と近位端を有し、
一対の前記ボタンと前記一方の生地の連結部が、それぞれ、前記遠位端同士又は近位端同士に位置するように構成され、
一方の前記ボタン及びボタンホールが、他方の前記ボタンがボタンホールに掛けられるときの前記両生地の移動方向に対する直交方向に位置するように設けられ、
前記ボタンホールが前記直交方向に沿う直線状の切れ目である、
ボタンとボタンホールの構造。
【請求項４】
前記ボタンホールのいずれかの前記連結部が位置する前記遠位端又は近位端が、前記移動方向に曲がっている、請求項３のボタンとボタンホールの構造。
【請求項５】
前記ボタンホールが二以上の直線状の切れ目、曲線状の切れ目、又は図形形状からなる、請求項１又は２のボタンとボタンホールの構造。
【手続補正２】
【補正対象書類名】明細書
【補正対象項目名】００１３
【補正方法】変更
【補正の内容】
【００１３】
本発明は、一方の生地に連結部を介して取付けられているボタンと、他方の生地に設けられ、前記ボタンを通すボタンホールからなるボタンとボタンホールの構造において、
前記一方の生地と他方の生地が連続しており、
少なくとも一対の前記ボタン及びボタンホールを具え、
一対の前記ボタンホールが、それぞれ、互いに対する遠位端と近位端を有し、
一対の前記ボタンの連結部が、それぞれ、前記遠位端同士に位置するように構成されているボタンとボタンホールの構造、
または、
一方の生地に連結部を介して取付けられているボタンと、他方の生地に設けられ、前記ボタンを通すボタンホールからなるボタンとボタンホールの構造において、
前記一方の生地と他方の生地が連続しており、
少なくとも一対の前記ボタン及びボタンホールを具え、
一対の前記ボタンホールが、それぞれ、互いに対する遠位端と近位端を有し、
一対の前記ボタンと前記一方の生地の連結部が、それぞれ、前記遠位端同士又は近位端同士に位置するように構成され、
一方の前記ボタン及びボタンホールが、他方の前記ボタンがボタンホールに掛けられるときの前記両生地の移動方向に対する直交方向に位置するように設けられ、
前記ボタンホールが前記直交方向に沿う直線状の切れ目である、ボタンとボタンホールの構造によって前記課題を解決した。
【手続補正書】
【提出日】平成28年8月25日(2016.8.25)
【手続補正１】
【補正対象書類名】特許請求の範囲
【補正対象項目名】全文
【補正方法】変更
【補正の内容】
【特許請求の範囲】
【請求項１】
一方の生地に連結部を介して取付けられているボタンと、他方の生地に設けられ、前記ボタンを通すボタンホールからなるボタンとボタンホールの構造において、
前記一方の生地と他方の生地が連続しており、
少なくとも一対の前記ボタン及びボタンホールを具え、
一対の前記ボタンホールが、それぞれ、互いに対する遠位端と近位端を有し、
一対の前記ボタンの連結部が、それぞれ、前記遠位端同士に位置するように構成されている、
ボタンとボタンホールの構造。
【請求項２】
一対の前記ボタンホールの遠位端同士に一対の前記ボタンの連結部が位置している一対のボタン及びボタンホールが隣り合っている、請求項１のボタンとボタンホールの構造。
【請求項３】
一方の生地に連結部を介して取付けられているボタンと、他方の生地に設けられ、前記ボタンを通すボタンホールからなるボタンとボタンホールの構造において、
前記一方の生地と他方の生地が連続しており、
少なくとも一対の前記ボタン及びボタンホールを具え、
一対の前記ボタンホールが、それぞれ、互いに対する遠位端と近位端を有し、
一対の前記ボタンと前記一方の生地の連結部が、それぞれ、前記遠位端同士又は近位端同士に位置するように構成され、
一方の前記ボタン及びボタンホールが、他方の前記ボタンがボタンホールに掛けられるときの前記両生地の移動方向に対する直交方向に位置するように設けられ、
前記ボタンホールが前記直交方向に沿う直線状の切れ目である、
ボタンとボタンホールの構造。
【請求項４】
前記ボタンホールのいずれかの前記連結部が位置する前記遠位端又は近位端が、前記移動方向に曲がっている、請求項３のボタンとボタンホールの構造。
【請求項５】
前記ボタンホールが二以上の直線状の切れ目、曲線状の切れ目、又は図形形状からなる、請求項１又は２のボタンとボタンホールの構造。
【手続補正２】
【補正対象書類名】明細書
【補正対象項目名】００１３
【補正方法】変更
【補正の内容】
【００１３】
本発明は、一方の生地に連結部を介して取付けられているボタンと、他方の生地に設けられ、前記ボタンを通すボタンホールからなるボタンとボタンホールの構造において、
前記一方の生地と他方の生地が連続しており、
少なくとも一対の前記ボタン及びボタンホールを具え、
一対の前記ボタンホールが、それぞれ、互いに対する遠位端と近位端を有し、
一対の前記ボタンの連結部が、それぞれ、前記遠位端同士に位置するように構成されているボタンとボタンホールの構造、
または、
一方の生地に連結部を介して取付けられているボタンと、他方の生地に設けられ、前記ボタンを通すボタンホールからなるボタンとボタンホールの構造において、
前記一方の生地と他方の生地が連続しており、
少なくとも一対の前記ボタン及びボタンホールを具え、
一対の前記ボタンホールが、それぞれ、互いに対する遠位端と近位端を有し、
一対の前記ボタンと前記一方の生地の連結部が、それぞれ、前記遠位端同士又は近位端同士に位置するように構成され、
一方の前記ボタン及びボタンホールが、他方の前記ボタンがボタンホールに掛けられるときの前記両生地の移動方向に対する直交方向に位置するように設けられ、
前記ボタンホールが前記直交方向に沿う直線状の切れ目である、ボタンとボタンホールの構造によって前記課題を解決した。